【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
共有アクセス媒体上において送信されたパケットの一部から少なくとも１つの遅延関連パラメータを取得することと、
前記少なくとも１つの遅延関連パラメータに、少なくとも部分的に、基づいて前記パケットに関連付けられた基本サービスセット（ＢＳＳ）を決定することと、
前記決定されたＢＳＳが前記装置において記憶された重複するＢＳＳ（ＯＢＳＳ）のリスト内における１つまたは複数のＯＢＳＳのうちの１つである場合に前記パケットの送信中に前記共有アクセス媒体上における送信のために別のパケットを出力することと
を行うように構成された少なくとも１つのプロセッサと、
前記少なくとも１つのプロセッサに結合されるメモリと
を備える、装置。
【請求項２】
前記少なくとも１つのプロセッサは、前記少なくとも１つの遅延関連パラメータに関連付けられた１つまたは複数のしきい値にさらに基づいて前記送信を遅延する、または前記別のパケットを出力するようにさらに構成される、請求項１に記載の装置。
【請求項３】
前記少なくとも１つの遅延関連パラメータは、前記パケットを送信したデバイスの部分的関連付け識別子（ＡＩＤ）、前記パケットの受信が意図されるデバイスの部分的ＡＩＤ、前記パケットの基本サービスセット識別子（ＢＳＳＩＤ）、前記パケットの送信電力のインジケーション、前記パケットがドロップされることができるかどうかのインジケーション、前記パケットのサービス品質（ＱｏＳ）のインジケーション、または前記装置が遅延すべき受信電力レベルのインジケーションのうちの少なくとも１つを備える、請求項１に記載の装置。
【請求項４】
前記少なくとも１つのプロセッサは、どの前記少なくとも１つの遅延関連パラメータを使用するかのインジケーションにさらに基づいて前記送信を遅延する、または前記別のパケットを出力するようにさらに構成される、請求項１に記載の装置。
【請求項５】
前記インジケーションは、ビーコン、プローブ応答、関連付け応答、または管理フレームのうちの少なくとも１つにおいて受信される、請求項４に記載の装置。
【請求項６】
前記少なくとも１つのプロセッサは、前記少なくとも１つの遅延関連パラメータおよび少なくとも１つの他のパラメータにさらに基づいて前記送信を遅延する、または前記別のパケットを出力するようにさらに構成される、請求項１に記載の装置。
【請求項７】
前記少なくとも１つの他のパラメータは、前記パケットの帯域幅、前記パケットの変調およびコーディングスキーム（ＭＣＳ）、前記パケットの持続時間、前記パケットの受信信号強度インジケーション（ＲＳＳＩ）、または前記パケットを送信したデバイスからの以前のパケットのＲＳＳＩのうちの少なくとも１つを備える、請求項６に記載の装置。
【請求項８】
前記少なくとも１つのプロセッサは、部分的関連付け識別子（ＡＩＤ）に基づいて基本サービスセット（ＢＳＳ）の識別子を決定し、前記ＢＳＳの前記識別子にさらに基づいて遅延するか否かを決定するようにさらに構成される、請求項１に記載の装置。
【請求項９】
前記少なくとも１つのプロセッサは、前記装置が前記決定されたＢＳＳのメンバである場合に前記共有アクセス媒体上における送信を遅延することと、前記決定されたＢＳＳが１つまたは複数のＯＢＳＳのものである場合、および前記１つまたは複数のＯＢＳＳからのパケットの前記送信がエネルギーしきい値を下回る場合に、前記共有アクセス媒体上における送信のために前記別のパケットを出力することと、を行うように構成される、請求項１に記載の装置。
【請求項１０】
アンテナをさらに備え、ここにおいて、前記装置は、前記アンテナを介して前記少なくとも１つの遅延関連パラメータを取得するように構成され、１つまたは複数のＯＢＳＳからのパケットの送信中に前記共有アクセス媒体上において送信することは、前記アンテナを介して遂行され、前記装置は、局（ＳＴＡ）として構成される、請求項１に記載の装置。
【請求項１１】
前記処理システムは、前記装置が前記決定されたＢＳＳのメンバである場合にパケットの送信中に前記共有アクセス媒体上における送信を遅延するように構成される、請求項１に記載の装置。
【請求項１２】
ワイヤレス通信のための装置であって、
パケットの基本サービスセット（ＢＳＳ）を決定するための情報を含む、少なくとも１つの遅延関連パラメータを備える前記パケットを生成することと、
重複するＢＳＳ（ＯＢＳＳ）のリストをシグナリングする第１のメッセージを生成することと、
前記共有アクセス媒体上において受信された１つまたは複数のパケットがＯＢＳＳの前記リスト内における１つまたは複数のＯＢＳＳからのものである場合に別の装置が前記共有アクセス媒体上における送信を遅延するべきではないことを示す第２のメッセージを生成することと
を行うように構成された少なくとも１つのプロセッサと、
前記少なくとも１つのプロセッサに結合されるメモリと、
前記別の装置への送信のために前記パケット、前記第１のメッセージ、および前記第２のメッセージを出力するように構成されたインタフェースと
を備える、装置。
【請求項１３】
前記少なくとも１つの遅延関連パラメータは、前記パケットの物理レイヤ（ＰＨＹ）プリアンブル内に含まれる、請求項１２に記載の装置。
【請求項１４】
前記少なくとも１つのプロセッサは、決定する際に前記別の装置が使用するために前記少なくとも１つの遅延関連パラメータの１つまたは複数のしきい値をシグナリングする第３のメッセージを生成するようにさらに構成される、請求項１２に記載の装置。
【請求項１５】
前記少なくとも１つの遅延関連パラメータは、基本サービスセット（ＢＳＳ）の識別子、前記パケットの送信機の識別子、または前記パケットの受信機の識別子のうちの少なくとも１つを備える、請求項１２に記載の装置。
【請求項１６】
前記少なくとも１つの遅延関連パラメータは、前記パケットが遅延を必要とするかどうかのインジケーションまたは前記パケットのサービス品質（ＱｏＳ）のインジケーションのうちの少なくとも１つを備える、請求項１５に記載の装置。
【請求項１７】
前記少なくとも１つの遅延関連パラメータは、前記別の装置による前記遅延関連パラメータの受信後に前記別の装置が遅延することになっているのに等しいまたはそれを上回る受信電力レベルのインジケーションを備える、請求項１５に記載の装置。
【請求項１８】
前記少なくとも１つのプロセッサは、前記ＢＳＳの前記識別子に、少なくとも部分的に、基づいて部分的関連付け識別子（ＡＩＤ）を生成し、前記パケットのプリアンブル内において前記部分的ＡＩＤを含めるようにさらに構成される、請求項１５に記載の装置。
【請求項１９】
前記部分的ＡＩＤは、前記ＢＳＳの前記識別子として少なくともいくつかのビットを、および局（ＳＴＡ）識別子に対して少なくともいくつかのビットを有する、請求項１８に記載の装置。
【請求項２０】
前記ＳＴＡ識別子は、前記装置がアクセスポイント（ＡＰ）と通信している場合に前記装置のアドレスを備える、請求項１９に記載の装置。
【請求項２１】
前記ＳＴＡ識別子は、前記装置がアクセスポイント（ＡＰ）と通信している場合に前記ＡＰのアドレスを備える、請求項１９に記載の装置。
【請求項２２】
前記部分的ＡＩＤは、アップリンクとダウンリンクとを差別化するために使用されるべき少なくともいくつかのビットを有する、請求項１８に記載の装置。
【請求項２３】
前記部分的ＡＩＤの異なる値は、異なるＢＳＳを識別する、請求項１８に記載の装置。
【請求項２４】
前記少なくとも１つのプロセッサは、どのタイプの遅延関連パラメータが、送信されるパケット内において含まれるべきかをシグナリングする第３のメッセージを生成するようにさらに構成される、請求項１２に記載の装置。
【請求項２５】
前記インタフェースは、ビーコン、プローブ応答、関連付け応答、または管理フレームのうちの少なくとも１つを介した送信のために前記第３のメッセージを出力するようにさらに構成される、請求項２４に記載の装置。
【請求項２６】
前記インタフェースは、決定する際に前記別の装置によって使用されるべき１つまたは複数のルールに関する情報を提供するようにさらに構成される、請求項１２に記載の装置。
【請求項２７】
前記少なくとも１つのプロセッサは、基本サービスセット（ＢＳＳ）の重複していない識別子を決定するために１つまたは複数の他の装置と協調するようにさらに構成される、請求項１２に記載の装置。
【請求項２８】
アンテナをさらに備え、ここにおいて、前記装置は、前記アンテナを介して前記出力されたパケットを送信するように構成され、ここにおいて、前記装置は、アクセスポイント（ＡＰ）として構成される、請求項１２に記載の装置。
【請求項２９】
装置によるワイヤレス通信のための方法であって、
共有アクセス媒体上において送信されたパケットの一部から少なくとも１つの遅延関連パラメータを取得することと、
前記少なくとも１つの遅延関連パラメータに、少なくとも部分的に、基づいて前記パケットに関連付けられた基本サービスセット（ＢＳＳ）を決定することと、
前記決定されたＢＳＳが前記装置において記憶された重複するＢＳＳ（ＯＢＳＳ）のリスト内における１つまたは複数のＯＢＳＳのうちの１つである場合に前記パケットの送信中に前記共有アクセス媒体上において送信することと
を備える、方法。
【請求項３０】
ワイヤレス通信のための方法であって、
少なくとも１つの遅延関連パラメータを備えるパケットを生成することと、
重複するＢＳＳ（ＯＢＳＳ）のリストをシグナリングする第１のメッセージを生成することと、
前記共有アクセス媒体上において受信された１つまたは複数のパケットがＯＢＳＳの前記リスト内における１つまたは複数のＯＢＳＳからのものである場合に別の装置が前記共有アクセス媒体上における送信を遅延するべきではないことを示す第２のメッセージを生成することと、
前記別の装置への送信のために前記パケット、前記第１のメッセージ、および前記第２のメッセージを出力することと
を備える、方法。